(57)【要約】【課題】テープ型のおむつの装着容易性を向上させる。【解決手段】おむつ２は、止着テープが止着されるターゲットシート２６と厚み方向視で重なるターゲット領域Ｒ１の一部に設けられた第一模様３と、ターゲット領域Ｒ１を囲む周囲領域Ｒ２の一部に設けられた第二模様４とを備える。ターゲット領域Ｒ１のうち第一模様３の設けられない部分と、周囲領域Ｒ２のうち第二模様４の設けられない部分とは、非肌側から視て色彩が互いに同一又は類似する。一方、第一模様３と第二模様４とは、非肌側から視て外観が互いに異なる。【選択図】図３
2022002685.tif 000002
【特許請求の範囲】
【請求項１】
前身頃及び後身頃の一方に設けられた止着テープが前記前身頃及び前記後身頃の他方に設けられたターゲットシートに止着されるおむつであって、
前記ターゲットシートと厚み方向視で重なるターゲット領域の一部に設けられた第一模様と、
前記ターゲット領域を囲む周囲領域の一部に設けられた第二模様と、を備え、
前記ターゲット領域のうち前記第一模様の設けられない部分と前記周囲領域のうち前記第二模様の設けられない部分とは、非肌側から視て色彩が互いに同一又は類似し、
前記第一模様と前記第二模様とは、非肌側から視て外観が互いに異なる
ことを特徴とする、おむつ。
【請求項２】
前記第一模様は、前記ターゲットシートにおいて肌側へ窪む凹部がなす凹模様を含む
ことを特徴とする、請求項１に記載のおむつ。
【請求項３】
前記ターゲット領域と前記周囲領域とにわたって設けられ、非肌側の表面に前記ターゲットシートが貼り付けられた外装材を備え、
前記第二模様は、前記外装材に穿設された孔部がなす孔模様を含む
ことを特徴とする、請求項１又は２に記載のおむつ。
【請求項４】
前記孔部は、所定方向に間隔をあけて複数設けられており、前記所定方向に延びる孔列をなし、
前記凹部は、第一方向に延びる溝状をなし、
前記孔列は、前記所定方向が前記第一方向と交差する第二方向に設定された対比孔列を含む
ことを特徴とする、請求項２を引用する請求項３に記載のおむつ。
【請求項５】
前記孔部は、所定方向に間隔をあけて複数設けられており、前記所定方向に延びる孔列をなし、
前記孔列は、非肌側から視て前記ターゲットシートまで延びる誘導孔列を含む
ことを特徴とする、請求項３又は４に記載のおむつ。
【請求項６】
前記第一模様と前記第二模様とは、印刷された図柄を含む
ことを特徴とする、請求項１〜５のいずれか一項に記載のおむつ。
【請求項７】
前記第一模様に含まれる前記図柄は、位置の指標をなす
ことを特徴とする、請求項６に記載のおむつ。
【請求項８】
前記ターゲットシートは、幅方向に延在し、
前記第二模様は、前記ターゲットシートの幅方向に延びる端縁に沿って設けられた平行模様を含む
ことを特徴とする、請求項１〜７のいずれか一項に記載のおむつ。
【請求項９】
前記平行模様は、前記ターゲットシートよりも長手方向の内側に設けられた
ことを特徴とする、請求項８に記載のおむつ。
【請求項１０】
前記端縁と前記平行模様とは、長手方向において５ｍｍ以上かつ１５ｍｍ以下、互いに離間する
ことを特徴とする、請求項８又は９に記載のおむつ。
【請求項１１】
前記第一模様は、前記ターゲットシートよりも肌側に設けられた内模様を含み、
前記ターゲットシートは、前記内模様が非肌側から視認可能な透明又は半透明である
ことを特徴とする、請求項１〜１０のいずれか一項に記載のおむつ。
【請求項１２】
前記ターゲットシートは、不透明である
ことを特徴とする、請求項１〜１０のいずれか一項に記載のおむつ。
【請求項１３】
前記第一模様は、前記ターゲットシートに設けられた外模様を含む
ことを特徴とする、請求項１〜１２のいずれか一項に記載のおむつ。
【請求項１４】
前身頃及び後身頃の一方に設けられた止着テープが前記前身頃及び前記後身頃の他方に設けられたターゲットシートに止着されるおむつであって、
前記ターゲットシートと厚み方向視で重なるターゲット領域を囲む周囲領域の一部に設けられた模様を備え、
前記ターゲット領域と前記周囲領域のうち前記模様の設けられない部分とは、非肌側から視て色彩が互いに同一又は類似し、
前記ターゲットシートは、幅方向に延在し、
前記模様は、前記ターゲットシートの幅方向に延びる端縁に沿って設けられた平行模様を含む
ことを特徴とする、おむつ。
【発明の詳細な説明】
【技術分野】
【０００１】
本件は、テープ型のおむつに関する。
【背景技術】
【０００２】
テープ型のおむつは、例えば後身頃に設けられた止着テープ（ファスニングテープ）が、前身頃に設けられたターゲットシートに止着されることで、前身頃と後身頃とが着用者の腰部や腹部まわりで連結された装着状態となる。このようなおむつの一例として、特許文献１には、透明領域と不透明領域とを所定の面積比で設けた止着領域を有するファスニングテープを用いることで、製造時におけるファスニングテープの取り付け位置の確認を容易にした使い捨ておむつが提案されている。
【先行技術文献】
【特許文献】
【０００３】
【特許文献１】特開２００４−１６７０２５号公報
【発明の概要】
【発明が解決しようとする課題】
【０００４】
ところで、テープ型のおむつは、非肌側から視て、ターゲットシートとその周辺部分とで色彩が互いに同一又は類似する場合に、ターゲットシートを視認しにくいという課題がある。おむつの使用者（着用者又はその保護者や介護者等）がターゲットシートの位置を適切に把握できないと、止着テープを適正な位置に止着することが困難となるため、おむつの装着容易性の低下を招く。
【０００５】
本件は、上記のような課題に鑑みて創案されたものであり、テープ型のおむつの装着容易性を向上させることを目的の一つとする。
【課題を解決するための手段】
【０００６】
本件の第一のおむつは、前身頃及び後身頃の一方に設けられた止着テープが前記前身頃及び前記後身頃の他方に設けられたターゲットシートに止着されるおむつであって、前記ターゲットシートと厚み方向視で重なるターゲット領域の一部に設けられた第一模様と、前記ターゲット領域を囲む周囲領域の一部に設けられた第二模様と、を備え、前記ターゲット領域のうち前記第一模様の設けられない部分と、前記周囲領域のうち前記第二模様の設けられない部分とは、非肌側から視て、色彩が互いに同一又は類似し、前記第一模様と前記第二模様とは、非肌側から視て、外観が互いに異なることを特徴としている。
【０００７】
本件の第二のおむつは、前身頃及び後身頃の一方に設けられた止着テープが前記前身頃及び前記後身頃の他方に設けられたターゲットシートに止着されるおむつであって、前記ターゲットシートと厚み方向視で重なるターゲット領域を囲む周囲領域の一部に設けられた模様を備え、前記ターゲット領域と前記周囲領域のうち前記模様の設けられない部分とは、非肌側から視て色彩が互いに同一又は類似し、前記ターゲットシートは、幅方向に延在し、前記模様は、前記ターゲットシートの幅方向に延びる端縁に沿って設けられた平行模様を含むことを特徴としている。
【発明の効果】
【０００８】
本件によれば、テープ型おむつの装着容易性を向上させられる。
【図面の簡単な説明】
【０００９】
【図１】おむつの分解斜視図である。
【図２】おむつを肌側から視た平面図である。
【図３】おむつのターゲット領域及び周囲領域を非肌側から視た平面図である。
【図４】内模様を説明するための断面図（図３のＡ−Ａ矢視断面図）である。
【図５】凹模様及び孔模様を例示した模式的な平面図（図３の一部を拡大した図）である。
【図６】外模様が設けられたおむつのターゲット領域及び周囲領域を非肌側から視た平面図（図３に対応する図）である。
【図７】外模様を説明するための断面図（図６のＢ−Ｂ矢視断面図）である。
【発明を実施するための形態】
【００１０】
本件のおむつを実施するための形態を説明する。この実施形態はあくまでも例示に過ぎず、下記の実施形態で明示しない種々の変形や技術の適用を排除する意図はない。本実施形態の各構成は、それらの趣旨を逸脱しない範囲で種々変形して実施できる。また、必要に応じて取捨選択でき、あるいは適宜組み合わせることができる。
【００１１】
［１．構成］
［１−１．全体構成］
まず、図１及び図２を参照して、本実施形態に係るおむつ２の全体構成を説明する。
本実施形態のおむつ２は、着用者に装着された装着状態において、着用者の腹部に対向する前身頃２Ａと、着用者の背部に対向する後身頃２Ｂとが、止着テープ１（以下、単に「テープ１」という）で互いに連結されるテープ型のものである。ここでは、おむつ２として紙おむつ（いわゆる使い捨ておむつ）を例示する。なお、おむつ２には、上記の前身頃２Ａ及び後身頃２Ｂに加えて、装着状態で着用者の股間に対向する股下部２Ｃが設けられる。股下部２Ｃは、おむつ２が平面状に広げられた展開状態で、前身頃２Ａと後身頃２Ｂとの間に位置する。
【００１２】
以下、展開状態で前身頃２Ａと後身頃２Ｂとを結ぶ方向を「長手方向」とする。また、装着状態で着用者の肌に向かう側を「肌側」とし、この反対側を「非肌側」とする。さらに、肌側と非肌側とを結ぶ方向を「厚み方向」とし、長手方向と厚み方向とのいずれにも直交する方向を「幅方向」とする。そのほか、厚み方向から視ることを「平面視」とする。
本実施形態のおむつ２は、幅方向の中心線Ｏを基準として対称に形成されている。おむつ２は、テープ１と、吸収体２１と、種々のシート２２〜２６と、種々のギャザー２７〜２９とを備えている。以下、これらの構成について順に説明する。
【００１３】
＜テープ＞
テープ１は、前身頃２Ａ及び後身頃２Ｂの一方における幅方向の両側に着脱不能に設けられ、前身頃２Ａ及び後身頃２Ｂの他方に着脱可能に設けられる。本実施形態では、後身頃２Ｂ（前身頃２Ａ及び後身頃２Ｂの一方）の幅方向の両側に設けられ、おむつ２の装着時に前身頃２Ａ（前身頃２Ａ及び後身頃２Ｂの他方）に止着されるテープ１を例示する。なお、テープ１の個数は特に限定されないが、ここではテープ１が後身頃２Ｂの幅方向の両側に一つずつ（合計一対）設けられた例を示す。
【００１４】
＜吸収体＞
吸収体２１は、水分を吸収して保持するマット状の部材である。吸収体２１は、例えば、高吸水性樹脂（ＳＡＰ；Super Absorbent Polymer）がフラッフパルプに混合されたマットを、親水性の不織布やティシュペーパ等のコアラップシートで被包することにより形成される。吸収体２１は、テープ１やシート２２〜２６よりも厚み方向の寸法が大きい。
吸収体２１は、前身頃２Ａと股下部２Ｃと後身頃２Ｂとにわたって長手方向に延びる。吸収体２１は、尿や便等の排泄物が着用者から排泄されうる箇所を含む領域に配置される。ここでは、おむつ２において着用者の肌に対向する肌対向面をなす後述のトップシート２２に対し、非肌側かつ幅方向の中央部に設けられた吸収体２１を例示する。
【００１５】
＜シート＞
シート２２〜２６はいずれも、展開状態で長手方向及び幅方向に沿って広がるシート状の部材である。
吸収体２１の肌側には、液透過性をもつトップシート２２が配置される。トップシート２２は、吸収体２１よりも長手方向及び幅方向に長く形成され、吸収体２１を肌側から被覆するように設けられる。トップシート２２は、例えば、織布や不織布で形成される。ここでは平面視で矩形状をなすトップシート２２を例示する。
【００１６】
本実施形態のトップシート２２は、おむつ２の長手方向の全域にわたって設けられている。すなわち、図２に示すようにトップシート２２は、おむつ２の長手方向の一端部２ｆから他端部２ｒまで延在する。以下、おむつ２の長手方向の一端部２ｆ及び他端部２ｒのうち、前身頃２Ａ側の一方を「腹側端部２ｆ」ともいい、後身頃２Ｂ側の他方を「背側端部２ｒ」ともいう。
【００１７】
トップシート２２の幅方向の外側には、吸収体２１から幅方向の外側への液漏れを防ぐために、液不透過性をもつサイドシート２３が配置される。サイドシート２３は、好ましくは、通気性と柔軟性をもつ材料で形成される。サイドシート２３に適用される材料としては、例えば、ＳＭＳ（Spunbond Meltblown Spunbond）不織布やＳＭＭＳ（Spunbond Meltblown Meltblown Spunbond）不織布が挙げられる。
サイドシート２３は、トップシート２２の幅方向の両側に一対設けられて長手方向に延在する。本実施形態のサイドシート２３は、トップシート２２と同様に、おむつ２の長手方向の全域にわたって設けられている。
【００１８】
図１に示すように、吸収体２１の非肌側には、吸収体２１から非肌側への液漏れを防ぐために、液不透過性をもつバックシート２４が配置される。バックシート２４は、例えばフィルムで形成される。
バックシート２４の非肌側には、バックシート２４を補強すると共に触感（例えば手触り）を向上させるためにカバーシート２５が配置される。カバーシート２５は、例えば、織布や不織布で形成される。本実施形態のカバーシート２５は、半透明である。すなわち、カバーシート２５は、非肌側からの光を肌側へ透過させると共に、肌側からの光を非肌側へ透過させる性質（光透過性）を有する。
なお、カバーシート２５とサイドシート２３との間には、テープ１が挟装される。
【００１９】
カバーシート２５の非肌側の表面には、テープ１が止着されるターゲットシート２６が貼り付けられる。ここでは、前身頃２Ａ（前身頃２Ａ及び後身頃２Ｂの他方）に設けられたターゲットシート２６を例示する。
本実施形態のターゲットシート２６は、平面視において、長手方向の寸法よりも幅方向の寸法が大きい矩形状であり、幅方向に延在する。ターゲットシート２６は、テープ１に設けられる止着材（図示略）と共にファスニング機構を構成する。このファスニング機構としては、例えば、フック材（雄部材）とループ材（雌部材）とで機械的に結合する面状ファスナーを適用できる。
本実施形態のターゲットシート２６は、ターゲットシート２６の肌側に重なる部材（本実施形態ではバックシート２４やカバーシート２５）が非肌側から目視可能な透明又は半透明である。すなわち、ターゲットシート２６は、光透過性を有する。
【００２０】
＜ギャザー＞
ギャザー２７〜２９は、ゴムや伸縮フィルムやポリウレタンといった弾性部材７〜９により、サイドシート２３やカバーシート２５等が襞状に皴寄せられて構成される。ギャザー２７〜２９は、おむつ２の着用者へのフィット性を高める機能をもつ。なお、図１及び図２には、ギャザー２７〜２９の皺が伸ばされたおむつ２を示す。
【００２１】
立体ギャザー２７は、サイドシート２３の幅方向の内側部分が弾性部材７により長手方向に伸縮可能に皺寄せられて構成されている。立体ギャザー２７は、トップシート２２の幅方向の両側かつ肌側に一対設けられ、長手方向に延在する。
ここでは、長手方向に沿って延在する糸状の複数の弾性部材７が幅方向に間隔をあけて設けられた例を示す。立体ギャザー２７は、弾性部材７が長手方向に収縮することで肌側に起立する。
【００２２】
レッグギャザー２８は、おむつ２において着用者の脚部に沿う箇所に設けられる。レッグギャザー２８は、例えば、サイドシート２３とバックシート２４とカバーシート２５とが、長手方向に延在する弾性部材８で長手方向に伸長可能に皺寄せられて構成される。
ウェストギャザー２９は、おむつ２において着用者の腰部（臀部の上方）に対向する箇所に設けられる。ここでは、幅方向に弾性変形する弾性部材９により、シート２２〜２５が幅方向に伸縮可能に皺寄せられて構成されたウェストギャザー２９を例示する。なお、本実施形態の弾性部材９は、長手方向かつ幅方向に沿って配置されたシート状の部材であって、トップシート２２とバックシート２４との間に挟装されている。
【００２３】
［１−２．要部構成］
以下、図３及び図４を参照して、おむつ２に設けられた第一模様３及び第二模様４（模様）について詳述する。第一模様３及び第二模様４はいずれも、おむつ２を非肌側から視た場合に外観可能となるように設けられる。
第一模様３は、おむつ２のうち、ターゲットシート２６と厚み方向視で重なるターゲット領域Ｒ１の一部に設けられる。すなわち、第一模様３は、平面視でターゲット領域Ｒ１の一部と重複する。
一方、第二模様４は、ターゲット領域Ｒ１を囲む周囲領域Ｒ２の一部に設けられる。すなわち、第二模様４は、平面視で周囲領域Ｒ２の一部と重複する。
【００２４】
なお、本実施形態では、ターゲットシート２６が幅方向に延在するため、ターゲット領域Ｒ１も幅方向に延在する。また、カバーシート２５は、ターゲット領域Ｒ１と周囲領域Ｒ２とにわたって設けられており、少なくともターゲット領域Ｒ１及び周囲領域Ｒ２における色彩が一様である。
【００２５】
ターゲット領域Ｒ１のうち第一模様３の設けられない部分と、周囲領域Ｒ２のうち第二模様４の設けられない部分とは、非肌側から視て、色彩が互いに同一又は類似している。ここで、「色彩が互いに同一又は類似している」とは、対比する色彩同士が、完全に同一である、又は、太陽光や通常の照明光の下で目視による区別が困難な程度の同一性を有することを意味する。
したがって、ターゲット領域Ｒ１と周囲領域Ｒ２とは、非肌側から視て、第一模様３及び第二模様４以外の部分の見分けがつきにくくなっている。このため、おむつ２は、非肌側から視て、ターゲットシート２６の外縁の視認が困難である。
【００２６】
これに対し、ターゲット領域Ｒ１に設けられた第一模様３と、周囲領域Ｒ２に設けられた第二模様４とは、非肌側から視て外観が互いに異なる。より具体的にいえば、第一模様３と第二模様４とは、非肌側から視た場合に、形状，向き，色彩の少なくとも一つが互いに異なる。なお、「色彩が互いに異なる」とは、明るさ，色相，彩度の少なくとも一つが互いに異なることを意味する。
【００２７】
図３に示すように、本実施形態の第一模様３及び第二模様４は、印刷された図柄３Ａ，４Ａをそれぞれ含んでいる。図柄３Ａ，４Ａは、文字，図形，記号，又はこれらの組み合わせ（結合）である。以下、第一模様３に含まれる図柄３Ａを「第一図柄３Ａ」ともいい、第二模様４に含まれる図柄４Ａを「第二図柄４Ａ」ともいう。
本実施形態の第一図柄３Ａ及び第二図柄４Ａは、単一の部材に印刷されている。ここでは、バックシート２４に印刷された第一図柄３Ａ及び第二図柄４Ａを例示する。
【００２８】
第一図柄３Ａは、バックシート２４に印刷されていることから、ターゲットシート２６及びカバーシート２５よりも肌側に設けられている。以下、この第一図柄３Ａのように、ターゲットシート２６よりも肌側に設けられた第一模様３を「内模様３Ｃ」ともいう。本したがって、実施形態の第一模様３は、第一図柄３Ａで構成された内模様３Ｃを含む。
第一図柄３Ａは、ターゲット領域Ｒ１において位置の指標をなす。ここでは、ターゲット領域Ｒ１において幅方向に等間隔に配置されることで、幅方向の位置の指標（スケール）をなす第一図柄３Ａを例示する。
【００２９】
第二図柄４Ａは、周囲領域Ｒ２において、ターゲットシート２６に近接して設けられる。本実施形態の第二図柄４Ａは、ターゲットシート２６の矩形状の外縁のうち、幅方向に延びる端縁２６ａに沿って（端縁２６ａと平行又は略平行に）設けられている。ここでは、第二図柄４Ａの全体が、幅方向に延びた直線状をなし、ターゲットシート２６の幅方向に延びる端縁２６ａと平行である例を示す。
以下、この第二図柄４Ａのように、ターゲットシート２６の幅方向に延びる端縁２６ａに沿って設けられた第二模様４を「平行模様４Ｃ」ともいう。したがって、本実施形態の第二模様４は、第二図柄４Ａで構成された平行模様４Ｃを含む。
【００３０】
ここでは、周囲領域Ｒ２において、ターゲット領域Ｒ１よりも長手方向の内側（股下部２Ｃ側）に設けられた平行模様４Ｃ（第二図柄４Ａ）を例示する。すなわち、平行模様４Ｃは、ターゲットシート２６の幅方向に延びる二つの端縁２６ａのうち、股下部２Ｃ側の一方（以下、「下縁２６ａ」ともいう）に沿って設けられている。
下縁２６ａと平行模様４Ｃとは、長手方向において５ｍｍ以上かつ１５ｍｍ以下、互いに離間する。言い換えると、下縁２６ａ及び平行模様４Ｃの長手方向の距離Ｄは、５ｍｍ以上かつ１５ｍｍ以下の範囲内に設定される。
【００３１】
図４に示すように、本実施形態の内模様３Ｃ（第一図柄３Ａ）は、ターゲットシート２６及びカバーシート２５よりも肌側に設けられているものの、透明又は半透明のターゲットシート２６と半透明のカバーシート２５とを通じて、非肌側から目視（透視）可能である。このように、本実施形態のターゲットシート２６は、内模様３Ｃが非肌側から視認可能な透明又は半透明である。
同様に、第二図柄４Ａは、カバーシート２５よりも肌側に設けられているものの、半透明のカバーシート２５を通じて非肌側から目視（透視）可能である。このように、本実施形態のカバーシート２５は、第二図柄４Ａが非肌側から視認可能な半透明である。
【００３２】
図５に太線で模式的に示すように、本実施形態のターゲットシート２６には、肌側へ窪む凹部６が設けられている。凹部６は、例えば、ターゲットシート２６を熱融着によりカバーシート２５に接合するときに、ターゲットシート２６がカバーシート２５に対して押圧されることで形成されたエンボスであり、カバーシート２５の非肌側の表面に固定されている。なお、図３及び図４では、凹部６及び後述の孔部５を省略している。
【００３３】
ここでは、非肌側からの平面視で波状に設けられた凹部６を例示する。各々の凹部６は、おむつ２の幅方向（第一方向）に延びる溝状をなす。
本実施形態の第一模様３は、上記の凹部６がなす凹模様３Ｂを含む。凹模様３Ｂは、具体的にいえば、おむつ２を非肌側から視たときに、凹部６によってターゲット領域Ｒ１に施された模様である。凹模様３Ｂは、ターゲットシート２６において肌側へ窪む凹部６で形成されることから、厚み方向に凹凸をなす立体模様である。
ここでは、非肌側からの平面視で、ターゲット領域Ｒ１の全体にわたる波状に設けられた凹模様３Ｂを例示する。
【００３４】
一方、本実施形態のカバーシート２５には、カバーシート２５を厚み方向に貫通した孔部５が穿設されている。孔部５は、カバーシート２５の通気性や柔軟性を向上させたり、カバーシート２５を軽量化したりする機能をもつ。ここでは、平面視で真円形状である孔部５を例示する。
本実施形態の孔部５は、直線状に延びる所定方向に間隔をあけて複数設けられており、この所定方向に延びる孔列５０をなす。ここでは孔列５０として、上記の所定方向がおむつ２の長手方向（第二方向）に設定された対比孔列５１を例示する。対比孔列５１は、溝状をなす凹部６と対比される孔列５０であって、幅方向に延びる凹部６に対して延在方向が異なる。
【００３５】
孔列５０（本実施形態ではいずれも対比孔列５１）は、幅方向に一定の間隔をあけて複数設けられている。本実施形態の孔列５０は、非肌側から視てターゲットシート２６まで延びる誘導孔列５２を含む。より具体的に言えば、複数の対比孔列５１のうち、一部の孔部５がターゲットシート２６（ターゲット領域Ｒ１）と厚み方向視で重なる孔列５０が誘導孔列５２である。誘導孔列５２は、使用者（着用者又はその保護者や介護者等）の手指をターゲットシート２６まで誘導する。なお、ここでは一部の孔部５がターゲットシート２６の肌側に重なって配置された誘導孔列５２を例示するが、誘導孔列５２は非肌側から視てターゲットシート２６まで延びていればよく、ターゲットシート２６の非肌側には誘導孔列５２の孔部５が配置されていなくてもよい。
【００３６】
本実施形態の第二模様４は、上記の孔部５がなす孔模様４Ｂを含む。孔模様４Ｂは、具体的にいえば、おむつ２を非肌側から視たときに、孔部５によって周囲領域Ｒ２に施された模様である。孔模様４Ｂは、カバーシート２５に穿設された孔部５で形成されることから、厚み方向に凹凸をなす立体模様である。
ここでは、非肌側からの平面視で、周囲領域Ｒ２の全体にわたる列状に設けられた孔模様４Ｂを例示する。
【００３７】
［２．作用及び効果］
（１）ターゲット領域Ｒ１及び周囲領域Ｒ２のうち第一模様３及び第二模様４の設けられない部分は、非肌側から視て、色彩が互いに同一又は類似する。このようなターゲット領域Ｒ１及び周囲領域Ｒ２では、第一模様３及び第二模様４以外の部分の見分けがつきにくい。このため、おむつ２の使用者がテープ１をターゲットシート２６に止着しようとする際に、ターゲットシート２６の位置の視認が困難になる虞がある。使用者がターゲットシート２６の位置を適切に把握できないと、テープ１を適正な位置に止着することが困難になるため、おむつ２の装着容易性の低下を招く。
【００３８】
これに対し、おむつ２のターゲット領域Ｒ１及び周囲領域Ｒ２にそれぞれ設けられた第一模様３及び第二模様４は、非肌側から視て外観が互いに異なる。このため、おむつ２の使用者は、第一模様３及び第二模様４の外観の相違に基づき、ターゲット領域Ｒ１を周囲領域Ｒ２に対して見分けられる。これにより、ターゲットシート２６の位置の把握が容易となるため、テープ１の適正な位置への止着が容易となる。よって、おむつ２の装着容易性を向上させられる。
【００３９】
（２）ターゲットシート２６において肌側へ窪む凹部６がなす凹模様３Ｂによれば、例えばエンボス加工でターゲットシート２６に形成された凹部６を利用して第一模様３を設けられる。このため、おむつ２の構成の複雑化が抑えられると共に、コスト増を抑制できる。
また、凹部６はおむつ２の厚み方向に凹凸をなすため、凹模様３Ｂによればターゲット領域Ｒ１の触感（質感）を周囲領域Ｒ２に対して相違させられる。したがって、おむつ２の使用者は、第一模様３及び第二模様４の外観の相違だけでなく、凹模様３Ｂによるターゲット領域Ｒ１の触感によっても、ターゲット領域Ｒ１を周囲領域Ｒ２に対して識別できる。これにより、ターゲットシート２６の位置の把握が更に容易となるため、おむつ２の装着容易性を更に高められる。
【００４０】
（３）カバーシート２５に穿設された孔部５がなす孔模様４Ｂによれば、通気性及び柔軟性の向上や軽量化のための孔部５を利用して第二模様４を設けられる。このため、おむつ２の構成の複雑化が抑えられると共に、コスト増を抑制できる。
なお、凹模様３Ｂ及び孔模様４Ｂの双方が設けられたおむつ２によれば、上記のように構成の複雑化を抑えつつ、外観が互いに異なる凹模様３Ｂ及び孔模様４Ｂを設けられるため、コスト増を抑えながら、装着容易性を高められる。
【００４１】
また、凹部６及び孔部５はいずれもおむつ２の厚み方向に凹凸をなすため、凹模様３Ｂ及び孔模様４Ｂによればターゲット領域Ｒ１と周囲領域Ｒ２とで触感（質感）を互いに相違させられる。したがって、おむつ２の使用者は、第一模様３及び第二模様４の外観の相違だけでなく、凹模様３Ｂ及び孔模様４Ｂの触感の相違によっても、ターゲット領域Ｒ１を周囲領域Ｒ２に対して識別できる。これにより、ターゲットシート２６の位置の把握が更に容易となるため、おむつ２の装着容易性を更に高められる。
【００４２】
（４）幅方向に延びる溝状をなす凹部６と、長手方向に延びる対比孔列５１をなす孔部５とによれば、凹部６及び対比孔列５１の延在方向を互いに相違させられる。このため、凹部６及び対比孔列５１の延在方向が互いに同一である場合と比べて、凹模様３Ｂと孔模様４Ｂとのレイアウト（外観）及び触感の相違を明確化できる。これにより、周囲領域Ｒ２に対するターゲット領域Ｒ１の判別が更に容易となることから、おむつ２の装着容易性を更に高められる。
【００４３】
（５）非肌側から視てターゲットシート２６まで延びる誘導孔列５２によれば、使用者が手指の触覚に基づいて誘導孔列５２の孔部５をなぞっていくことでターゲットシート２６まで到達できる。換言すれば、誘導孔列５２により、使用者の手指をターゲットシート２６まで誘導できる。このため、例えば薄暗い場所においても、使用者が触感（触覚）に基づいてターゲットシート２６の位置を把握することが容易となることから、おむつ２の装着容易性を高められる。
【００４４】
また、本実施形態の誘導孔列５２は対比孔列５１でもあるため、上記のとおりターゲットシート２６まで使用者の手指を導けることに加えて、凹部６との延在方向の違いによりターゲット領域Ｒ１の判別を容易化できる。このように、対比孔列５１及び誘導孔列５２の双方を兼ねる孔列５０によれば、使用者が視覚と触覚との双方でターゲットシート２６の位置を容易に把握可能となるため、おむつ２の装着容易性を更に高められる。
【００４５】
（６）第一図柄３Ａ及び第二図柄４Ａによれば、おむつ２に意匠性をもたせられるため、図柄３Ａ，４Ａによっておむつ２の装着容易性を高めることができ、購買意欲の向上にも資する。
【００４６】
（７）位置の指標をなす第一図柄３Ａによれば、おむつ２の幅方向の中央位置やテープ１の適正な止着位置といった位置の目安として第一図柄３Ａを利用できる。よって、おむつ２の構成の複雑化を抑えつつ、装着容易性を更に高められる。
【００４７】
（８）ターゲットシート２６の幅方向に延びる端縁２６ａに沿って設けられた平行模様４Ｃによれば、使用者が平行模様４Ｃに基づいてターゲット領域Ｒ１の幅方向の広がりを視認しやすくなる。これにより、ターゲットシート２６の位置の把握が更に容易となるため、テープ１の適正な位置への止着が更に容易となる。よって、おむつ２の装着容易性を高められる。
【００４８】
（９）一般に、おむつ２では、ターゲットシート２６に対して長手方向の外側（腹側端部２ｆ側）よりも内側（股下部２Ｃ側）に大きなスペースが確保される。このため、平行模様４Ｃがターゲットシート２６よりも長手方向の内側に設けられることで、平行模様４Ｃの配置の自由度を高められると共に、製造誤差によるターゲット領域Ｒ１と平行模様４Ｃとの意図しない重複を回避しやすくなる。したがって、平行模様４Ｃによるターゲット領域Ｒ１の視認性向上の効果をより確実に発揮させられる。
【００４９】
（１０）ターゲットシート２６の幅方向に延びる端縁２６ａと平行模様４Ｃとの長手方向の距離Ｄが５ｍｍ未満に設定される場合は、製造誤差によりターゲット領域Ｒ１と平行模様４Ｃとが意図せず重複する可能性がある。一方、上記の距離Ｄが１５ｍｍよりも大きい場合は、平行模様４Ｃが端縁２６ａに沿っているように見えづらい。よって、いずれの場合も、平行模様４Ｃでターゲット領域Ｒ１の視認性向上を図ることが難しくなる虞がある。
【００５０】
これに対し、端縁２６ａと平行模様４Ｃとが、長手方向において５ｍｍ以上かつ１５ｍｍ以下、互いに離間する（上記の距離Ｄが５ｍｍ以上かつ１５ｍｍ以下である）場合は、製造誤差によるターゲット領域Ｒ１と平行模様４Ｃとの意図しない重複を防止できると共に、平行模様４Ｃをより適切に端縁２６ａに沿わせられる。したがって、ターゲット領域Ｒ１の視認性を平行模様４Ｃでより確実に高められる。
【００５１】
（１１）内模様３Ｃが非肌側から目視可能な透明又は半透明であるターゲットシート２６によれば、ターゲットシート２６を通して内模様３Ｃを非肌側から目視可能としつつ、ターゲットシート２６自体に第一模様３を設ける場合よりもターゲットシート２６の低コスト化を図れる。また、このようなターゲットシート２６を用いれば、上記のバックシート２４に設けられた図柄３Ａ，４Ａのように、第一模様３と第二模様４とを単一の部材に設けることが可能となるため、おむつ２の製造工程の簡略化に資する。
【００５２】
［３．変形例］
第一模様３は、上記の第一図柄３Ａ，凹模様３Ｂ及び内模様３Ｃに限定されず、これらの模様３Ａ，３Ｂ，３Ｃのいずれかが省略されてもよいし、これらの模様３Ａ，３Ｂ，３Ｃ以外の模様が更に追加されてもよい。第二模様４も同様に、上記の第二図柄４Ａ，孔模様４Ｂ及び平行模様４Ｃに限定されない。
【００５３】
図６及び図７に示すように、第一模様３は、上記の内模様３Ｃに代えて、ターゲットシート２６′に設けられた外模様３Ｄを含んでもよい。ここでは、外模様３Ｄとして、ターゲットシート２６′の非肌側の表面に印刷された第一図柄３Ａ′を例示する。なお、図６及び図７に示す変形例では、上記の実施形態で説明した要素と同一又は対応する要素に同一の符号を付し、重複する説明を省略する。
【００５４】
本変形例のターゲットシート２６′は、不透明である。したがって、本変形例では、非肌側から視たターゲット領域Ｒ１が、ターゲットシート２６′の非肌側の表面となる。
本変形例のターゲットシート２６′は、外模様３Ｄの設けられない部分の色彩が、周囲領域Ｒ２のうち第二模様４の設けられない部分の色彩と同一又は類似する。これにより、本変形例のターゲット領域Ｒ１と周囲領域Ｒ２とも、非肌側から視て、第一模様３及び第二模様４以外の部分の色彩が互いに同一又は類似している。
【００５５】
図７に示すように、ターゲットシート２６′に設けられた外模様３Ｄ（第一図柄３Ａ′）は、おむつ２の非肌側から直接的に目視可能である。このため、透明又は半透明のターゲットシート２６を通じて目視可能な内模様３Ｃと比べて、非肌側からの視認性を高められる。これにより、ターゲットシート２６′の位置の把握が更に容易となるため、おむつ２の装着容易性を更に高められる。
【００５６】
また、不透明のターゲットシート２６′によれば、非肌側から視たターゲット領域Ｒ１の外観がターゲットシート２６′自体の非肌側の表面となる。このため、ターゲットシート２６′よりも肌側に設けられた部材（例えばカバーシート２５やバックシート２４）に関わらず、非肌側から視たターゲット領域Ｒ１の外観をターゲットシート２６′自体で容易に設定できる。
そのほか、本変形例の外模様３Ｄ及びターゲットシート２６′が適用されたおむつ２によれば、上記の実施形態と同様の構成からは同様の作用及び効果が得られる。
【００５７】
第一模様３と第二模様４とは、非肌側から視て外観が互いに異なっていればよく、形状や色彩が互いに同一であってもよい。また、上記の第一図柄３Ａ及び第二図柄４Ａは、バックシート２４を非肌側から視た状態では、互いに同一の外観であってもよい。このような第一図柄３Ａ及び第二図柄４Ａであっても、おむつ２を非肌側から視た場合には、カバーシート２５及びターゲットシート２６を通じて視える第一図柄３Ａが、カバーシート２５のみを通じて視える第二図柄４Ａと比べてぼやけるため、第一図柄３Ａ及び第二図柄４Ａの外観が互いに相違する。よって、上記の実施形態と同様に、第一図柄３Ａ及び第二図柄４Ａの外観の違いから、ターゲットシート２６の位置の把握が容易となる。
【００５８】
なお、図柄３Ａ，４Ａは、バックシート２４以外の構成に印刷されてもよい。例えば、不透明の（光透過性をもたない）カバーシート２５が採用される場合には、図柄３Ａ，４Ａがおむつ２の非肌側から目視可能となるように、カバーシート２５の非肌側の表面に印刷されてもよい。
外模様３Ｄは、不透明のターゲットシート２６′に限らず、透明又は半透明のターゲットシート２６に設けられてもよい。
【００５９】
上記の孔部５の形状及び配置は一例である。上記の孔列５０をなす配置に代えて、ランダムな配置の孔部５で孔模様４Ｂが施されてもよい。また、孔列５０は、上記の対比孔列５１及び誘導孔列５２の一方のみを含んでもよいし、おむつ２から省略されてもよい。
上記の凹部６の形状及び配置も一例である。上記のように波状をなす凹部６が溝状に延設された構成に代えて（又は加えて）、ドット状の凹部６が千鳥状に配置された構成により凹模様３Ｂが施されてもよい。
【００６０】
溝状の凹部６が延びる第一方向と、対比孔列５１が延びる第二方向とは、互いに交差していればよく、上記の幅方向と長手方向とに限定されない。また、溝状の凹部６が延びる第一方向と、誘導孔列５２が延びる所定方向とは、互いに同一の方向であってもよい。ただし、これらの第一方向と所定方向とが互いに交差する構成によれば、上記のとおり誘導孔列５２が対比孔列５１を兼ねることから、使用者の手指をパッチシート２６に誘導できるうえに、凹模様３Ｂ及び孔模様４Ｂの外観及び触感の相違を明確化できる。このため、ターゲットシート２６の位置の把握が更に容易となる。
【００６１】
平行模様４Ｃは、ターゲットシート２６よりも長手方向の外側（腹側端部２ｆ側）に設けられてもよい。また、平行模様４Ｃは、その全体としてターゲットシート２６の幅方向の端縁２６ａに沿っていればよく、例えば、幅方向に延びる緩やかな曲線状に設けられてもよいし、幅方向に並ぶ（広がる）複数の図柄で構成されてもよい。
【符号の説明】
【００６２】
１      テープ（止着テープ）
２      おむつ
２Ａ    前身頃
２Ｂ    後身頃
２Ｃ    股下部
２ｆ    腹側端部
２ｒ    背側端部
３      第一模様
３Ａ，３Ａ′  第一図柄（図柄）
３Ｂ    凹模様
３Ｃ    内模様
３Ｄ    外模様
４      第二模様（模様）
４Ａ    第二図柄（図柄）
４Ｂ    孔模様
４Ｃ    平行模様
５      孔部
６      凹部
７      弾性部材
８      弾性部材
９      弾性部材
２１    吸収体
２２    トップシート
２３    サイドシート
２４    バックシート
２５    カバーシート（外装材）
２６，２６′  ターゲットシート
２６ａ  下縁（端縁）
２７    立体ギャザー
２８    レッグギャザー
２９    ウェストギャザー
５０    孔列
５１    対比孔列
５２    誘導孔列
Ｄ      距離
Ｏ      幅方向の中心線
Ｒ１    ターゲット領域
Ｒ２    周囲領域
【図１】
2022002685.tif 000003
【図２】
2022002685.tif 000004
【図３】
2022002685.tif 000005
【図４】
2022002685.tif 000006
【図５】
2022002685.tif 000007
【図６】
2022002685.tif 000008
【図７】
2022002685.tif 000009